(57)【要約】  本発明は、部屋に光を供給する方法１２０に関し、前記部屋は壁を有し、方法１２０は、光強度制御装置を持つ光源を前記部屋に配置するステップ１２２と、一日の第１の期間における光条件をシミュレートする光強度に対するモデルを提供するステップ１２４と、光が前記部屋に供給されるように前記モデルによって前記光強度制御装置を動作するステップ１２６とを有する。更に、本発明は、部屋内で照明を供給するシステムに関し、前記部屋は壁を有し、前記システムは、１つ又は複数の個別の光源を含む光源であって、発せられる光の強度及び／又は方向及び／又は色を制御する光制御装置を含む当該光源と、時間期間にわたり日光の変化をシミュレートするシミュレーションプログラムによって前記光制御装置を制御するコントローラ装置とを有する。
2014505979.tif 000002
【特許請求の範囲】
【請求項１】
部屋に光を供給する方法において、前記部屋が壁を有し、前記方法が、
光強度制御装置を持つ光源を前記部屋内に配置するステップと、
一日の第１の期間における光条件をシミュレートする光強度に対するモデルを提供するステップと、
光が前記部屋に供給されるように前記モデルによって前記光強度制御装置を動作するステップと、
を有する方法。
【請求項２】
前記部屋の中の一点が２以上の角度から照射されるように前記部屋内に複数の光源を配置するステップ、
を更に有する、請求項１に記載の方法。
【請求項３】
ビデオスクリーン及びビデオソースを設けるステップと、
前記ビデオソースからの画像を前記ビデオスクリーンに表示するステップと、
を更に有する、請求項１に記載の方法。
【請求項４】
前記画像が、雲、動物、色、動いている動物及び／又は人間及び／又は雲及び／又は植物及び／又は木のシルエットを含む、請求項３に記載の方法。
【請求項５】
前記光源が、発せられる光の色を制御する色変調装置を含む、請求項１に記載の方法。
【請求項６】
前記光源が、発せられる光の向きを変更する配向装置を含む、請求項１に記載の方法。
【請求項７】
部屋内で照明を供給するシステムにおいて、前記部屋が壁を有し、前記システムが、
１つ又は複数の個別の光源を含む光源であって、発せられる光の強度及び／又は方向及び／又は色を制御する光制御装置を含む当該光源と、
時間期間にわたり日光の変化をシミュレートするシミュレーションプログラムによって前記光制御装置を制御するコントローラ装置と、
を有するシステム。
【請求項８】
静止画像及び／又はビデオを表示する画像表示装置と、
画像及び／又はビデオを表示するために前記画像表示装置に接続された画像ソースと、
を更に有する、請求項７に記載のシステム。
【請求項９】
前記光源が、一列に配置された複数の光源を有する光バーである、請求項７に記載のシステム。
【請求項１０】
前記光源が、マトリクスに配置された複数の個別の光源を有する、請求項７に記載のシステム。
【請求項１１】
前記システムが、２つの空間的に離れた光源を有する、請求項７に記載のシステム。
【請求項１２】
前記部屋が、２つの向かい合った壁を有し、各壁が、前記空間的に離れた光源の１つを有する、請求項１１に記載のシステム。
【請求項１３】
前記画像表示装置が、ＬＣＤスクリーン、プラズマスクリーン又はＯＬＥＤスクリーンである、請求項８に記載のシステム。
【請求項１４】
前記光源が、太陽により発せられたものとして地球上で観測されるものに似ているスペクトルの光を供給する、請求項７に記載のシステム。
【請求項１５】
前記光源により発せられる光を拡散する拡散器を更に有する、請求項７に記載のシステム。
【発明の詳細な説明】
【技術分野】
【０００１】
本発明は、部屋に光を供給する光システム及び方法に関する。前記システム及び方法は、外から入る光が無い又は限られている部屋に光を供給するシステムに関する。前記方法及びシステムは、特に、時間期間にわたり、一日の経過をシミュレートする光を供給するのに適している。
【背景技術】
【０００２】
本発明は、一般的な困惑及びせん妄（delirium）を引き起こしうる病室内の不十分な照明の問題に対処する。天窓のダイナミクスを模倣する照明シーンをレンダリングすることにより時間的及び空間的適応（orientation）をサポートするシステムを提案及び記載する。提案された照明にさらされる患者は、時間の流れ及び部屋適応に関してより良好に適応されることができる。前記システムは、主に十分な窓を欠く空間内の患者の利益になるが、晴れた"アップビート"な日に似ている照明条件をレンダリングする可能性は、暗い冬及び憂鬱な雨の日の間により広い範囲の患者の利益にもなる。
【０００３】
本発明の発明者は、部屋、特に集中治療室、に光を供給する本発明によるシステム及び方法が、患者のせん妄のリスクを低減すると認識し、結果的に本発明を考案した。
【０００４】
せん妄は、意識及び注意、認知、思考、記憶、精神運動の振る舞い、感情、及び睡眠覚醒スケジュールの同時に起こる混乱により特徴づけられる病因学的に非特異的な器質的脳症候群である。ＩＣＵ患者のせん妄の発生は、統計学における大きな変動（２０−８０％）にもかかわらず高いと報告されている。
【０００５】
ＩＣＵせん妄の負の影響は、いくつかの領域で感じられることができる。経済的には、せん妄は、長い入院期間による大きな医療費に一貫して関連付けられている。更に、せん妄を起こす患者は、せん妄がＩＣＵ患者の中で長期認識機能障害の良好な予測因子であると示されているので、短期又は中期で合併症にかかる又は死ぬ可能性が高い。社会的領域において、スタッフの士気は、興奮した及び非従順な患者に対処する場合に経験した低下した仕事満足度のために影響を受ける。
【０００６】
認知混乱の状態として、せん妄に対する全ての予防及び介入手段は、患者を再適応させる主目的を持つ。危険な副作用を持つ薬物の使用を補完する非薬理的アプローチは、一般に、患者適応をサポートし、環境における対象の誤解を最小化する知覚欠損の補正（例えば眼鏡及び聴覚補助）並びに定期的な認知シミュレーション及び言葉による再適応を含む。
【０００７】
これに関して、照明条件は、人間の時間的及び空間的適応に大きく影響を与えることが知られている。一日を通して、空の色及び太陽により供給される照明の強度は変化する。影は、常に動き、長さ及び方向を変える。このようなダイナミクスは、人間が時間の経過を測定し、主要点を位置特定するのに頼る本能的な方法を提供する。不幸なことに、この情報は、室内環境、特に患者が窓を介する適切な外部照明条件の利益を得ない病室において、大きく失われる。
【０００８】
Keep他により行われた研究（'Windows in the intensive therapy unit.' Keep, P., James, J. and Inman, M. 3, 2980, Anaesthesia, Vol. 35, pp. 257-262）において、著者は、ＩＣＵにおいて少なくとも４８時間の滞在を生存した患者が、滞在の長さのあまり正確でない記憶を持ち、前記ユニットが窓無しである場合に時間においてあまり適応していなかったことを観察した。更に、著者は、幻覚及び妄想の発生が、透明ではないが半透明の窓を持つ同様のユニットと比較した場合に窓無しのユニットにおいて２倍以上高かったことを報告した。
【発明の概要】
【発明が解決しようとする課題】
【０００９】
部屋、特に集中治療室、又は患者が外の条件の変化を観察する可能性なしで延長した時間期間にわたって配置される他の回復室において光条件の制御を可能にするシステムを達成することは、有利である。一般に、本発明は、好ましくは、１つ又は複数の上述の不利点を単独で又は組み合わせで軽減、緩和又は除去しようとする。特に、本発明の目的は、従来技術の上述の問題又は他の問題を解決する方法を提供するものとみなされうる。
【課題を解決するための手段】
【００１０】
１つ又は複数のこれらの関心により良く対処するために、本発明の第１の態様において、部屋に光を供給する方法が提供される。前記部屋は、壁、又は少なくとも１つの壁を有する。前記方法は、光強度制御装置を持つ光源を前記部屋に配置するステップを有する。前記方法は、一日の第１の期間における光条件をシミュレートする光強度に対するモデルを提供するステップを有する。前記方法は、光が前記部屋に供給されるように前記モデルによって前記光強度制御装置を動作するステップを有する。
【００１１】
前記部屋は、外からの光が部屋に入ることを可能にする窓を持たない又はわずかな窓しか持たない部屋である。上で説明されたように、光の欠如は、前記部屋の中に位置する患者を混乱させ、場合により患者がせん妄に悩まされるようにする。したがって、本発明は、自動的に前記部屋における照明条件を制御する方法を提供する。好ましくは、コンピュータのようなコントローラ装置は、照明条件の変化、例えば夜明け及び夕暮れの間の少ない光、日中の明るい光等をシミュレートするのに使用される。更に、曇り条件及び晴れ条件の両方をシミュレートすることが可能である。
【００１２】
前記光は、前記第１の時間期間の間、自然光であるとして知覚され、光強度の変化は、時間が一周するのが前記部屋内の人により知覚されるようにされる。これは、人、例えば一日中ベッドに横たわっているＩＣＵ患者が、意識的に又は無意識に、時間が経過する印象を受けるのを助ける。
【００１３】
一実施例において、前記方法は、前記部屋内の一点が２以上の角度から照射されるように前記部屋内に複数の光源を配置するステップを有する。これは、複数の角度からの照射を可能にすることを意図され、これは、時間期間の間の光変化の増強されたシミュレーションを提供する。例えば、１つの光源は、朝の光をシミュレートすることができ、１つの光源は、午後の光をシミュレートすることができ、したがって前記光は、前記部屋内で異なる角度から生じる。前記部屋に配置された複数の光源を設けることにより、より多くの照明条件がシミュレートされることができ、時間経過の感覚を与える前記照明条件の変化が与えられる。
【００１４】
一実施例において、前記方法は、ビデオスクリーン及びビデオソースを設けるステップと、前記ビデオスクリーン上に前記ビデオソースからの画像を表示するステップとを有する。これは、例えば雲、動物、色、動いている動物及び／又は人間及び／又は雲及び／又は植物及び／又は木のシルエットを表示し、したがって外からの光及び風景の錯覚を強めることを可能にする。
【００１５】
一実施例において、前記光源又は複数の光源は、発せられる光の色を制御する色変調装置を含む。これは、色変調及び複数の光条件のシミュレーションを可能にする。色及び強度を組み合わせることは、より現実的な光体験を可能にする。例えば、前記光は、シミュレートされる日の出の間により赤く、シミュレートされる昼においてより白いことが可能である。他の色は、例えば雲の通過をシミュレートするのに可能である。
【００１６】
一実施例において、前記光源又は複数の光源は、発せられる光の向きを変更する配向装置を含む。これは、太陽の動きをシミュレートする１つの方法である。これは、時間経過のシミュレーションの効果を増強する。コントローラが前記発せられる光の向きを適合することができる光源を持つことは、空において太陽の変化する位置をシミュレートすることを可能にする。位置シミュレーション及び色シミュレーション及び強度を組み合わせることは、例えば夜明けから夕暮れまでの範囲の丸一日のシミュレーションを可能にする。更に、太陽が青い空から輝いていない日のシミュレーションも、シミュレートされることができ、雲及び／又は鳥及び／又は木の存在は、前記シミュレーションを更に増強する。
【００１７】
本発明の一態様は、壁を有する部屋内で照明を提供するシステムに関する。前記システムは、１つ又は複数の個別の光源を含む光源を有することができ、前記光源は、光の強度及び／又は方向及び／又は発せられる光の色を制御する光制御装置を含む。前記システムは、時間期間にわたり日光の変化をシミュレートするシミュレーションプログラムによって前記光制御装置を制御するコントローラ装置を有することができる。
【００１８】
一実施例において、前記システムは、静止画像及び／又はビデオを表示する画像表示装置と、画像及び／又はビデオを表示するために前記画像表示装置に接続された画像ソースとを更に有する。前記画像及び／又はビデオの表示は、前記ビデオ及び／又は画像が、雲、鳥、木、風景、低木、及び花等、場合により観察者に変化を提供するように時間に対して変化する複数の要素の組み合わせの画像を表示することができるので、前記部屋が自然光により明るくされる錯覚を強めることを意図される。
【００１９】
一実施例において、前記光源は、一列に配置された複数の光源を有する光バーである。細長い光源である前記光バーは、設置するのが容易であると考えられ、空間的距離は、太陽の動きをシミュレートする可能性を提供する。
【００２０】
一実施例において、前記光源は、マトリクスに配置された複数の個別の光源を有する。前記光源のマトリクスは、設置するのが容易であると考えられ、前記光源の間の空間的距離は、太陽の動きをシミュレートする可能性を提供する。前記マトリクスは、動く太陽からの光のシミュレーションを増強すると考えられる。
【００２１】
一実施例において、前記システムは、２つの空間的に離れた光源を有する。２つ又はそれ以上の光源、例えば２つの光バー又は２つの光源マトリクス又はこれらの組み合わせを設けることにより、観察者は異なる方向からの光を体験するので、前記シミュレーションの効果は、増強されることができる。異なる方向からの光は、太陽の動きの錯覚、したがって時間経過を提供する。
【００２２】
一実施例において、前記部屋は、２つの向かい合った壁を有し、各壁は、前記空間的に離れた光源の１つを有する。向かい合った壁に前記光源を設けることにより、例えば、日の出及び日没をシミュレートすることが可能である。前記光源が、色及び／又は強度を変更することができる場合、これは、前記シミュレーションの効果を増大させることができる。
【００２３】
一実施例において、前記画像表示装置は、ＬＣＤスクリーン、プラズマスクリーン又はＯＬＥＤスクリーンである。一実施例における表示ユニットの選択は、画質、電力消費及び利用可能性を含む複数の要因に依存しうる。
【００２４】
一実施例において、前記光源又は複数の光源は、太陽により発せられたものとして地球上で観測されるものと似ているスペクトルの光を提供する。前記光源が自然光源に似ているほど、前記シミュレーションは信じられる。
【００２５】
一実施例において、前記システムは、前記光源又は複数の光源により発せられた光を拡散する拡散器を更に有する。前記拡散器は、前記光源により発せられた光が小さな光源、例えばＬＥＤランプ等からのものであるという知覚を減少させるのを助ける。小さな光源は、拡散器の後ろの光源と同じくらい自然であるとは知覚されない。
【００２６】
一般に、本発明の様々な態様は、本発明の範囲内で可能ないかなる形でも組み合わせられ、結合されることができる。本発明のこれら及び他の態様、フィーチャ及び／又は利点は、以下に記載される実施例を参照して説明され、明らかになる。
【００２７】
本発明の実施例は、図面を参照して、例としてのみ、記載される。
【図面の簡単な説明】
【００２８】
【図１】本発明によるシステムの一実施例を概略的に示す。
【図２】ＬＥＤバーを概略的に示す。
【図３】複数の光生成素子を有する異なる部屋を概略的に示す。
【図４】複数の光生成素子を有する異なる部屋を概略的に示す。
【図５】複数の光生成素子を有する異なる部屋を概略的に示す。
【図６】複数の光生成素子を有する異なる部屋を概略的に示す。
【図７】複数の光生成素子を有する異なる部屋を概略的に示す。
【図８】複数の光生成素子を有する異なる部屋を概略的に示す。
【図９】光拡散素子を有するＬＥＤバーを概略的に示す。
【図１０】本発明による方法のステップを概略的に示す。
【発明を実施するための形態】
【００２９】
病室及び特にＩＣＵ環境は、場合により延ばされた時間期間にわたって回復期の人を泊める間、担当スタッフの要望、例えば、照明、作業空間、機器の存在等に注意しなければならない機能的空間である。意識の欠如から古い建物までの範囲に及ぶ理由に対して、これらの環境の多くは、患者を犠牲にして前記スタッフに対して最適化される。十分な窓の欠如及び一定の"冷たい"照明は、せん妄の始まりに対して潜在的影響を持つ、時間的及び空間的適応を助ける環境的きっかけを患者から奪うフィーチャの一般的な例である。
【００３０】
本発明は、一般的な困惑及びせん妄を引き起こしうる病室内の不十分な照明の問題に対処する。天窓のダイナミクスを模倣する照明シーンをレンダリングすることにより時間的及び空間的適応をサポートするシステムを提案及び記載する。提案された照明にさらされる患者は、時間の流れ及び部屋適応に関してより良く適応されると期待される。前記システムは、十分な窓を欠く空間内の患者に主に利益になるが、晴れた"アップビート"な日に似ている照明条件をレンダリングする可能性は、暗い冬及び憂鬱な雨の日に幅広い患者にも利益になる。
【００３１】
図１は、本発明によるシステム１０の現在好適な実施例を概略的に示す。前記システムは、ビデオソース１２と、ここでコンピュータ１４において実施されるユーザインタフェース（ＵＩ）とを有する。ビデオソース１２及びユーザインタフェース１４は、前記システムにシーンコンテンツと、開始、停止のような基本的なビデオコマンドとを提供する。ビデオソース／マネージャ１２及び１４は、ビデオデータを、ローカルエリアネットワーク１６上で分配するのに適したフォーマットの照明制御コマンドに変換する。ローカルエリアネットワーク（ＬＡＮ）１６は、システム１０内の異なる装置間でコマンド及びデータを分配する。データイネーブラ１８及び２０並びにタイルコントローラ２２は、前記光源及びビデオソース１４からのシーンのレンダリングを制御する。ここで、２つのタイプの光源、すなわち、ビデオ画像及びコンピュータユニット１２により制御される他の光情報、例えば光強度、色等に基づいて光シーンをレンダリングすることができるＬＥＤのマトリクスであるＬＥＤタイル２４が、示される。他の光源は、一日の時間に依存して異なる角度において光を発する光源であるＬＥＤバー２６及び２８である。
【００３２】
一般に、本発明による室内で照明を提供するシステムは、１つ又は複数の個別の光源を含む光源を有し、前記光源は、光の強度及び／又は方向及び／又は発せられる光の色を制御する光制御装置と、時間期間にわたって日光の変化をシミュレートするシミュレーションプログラムによって前記光制御装置を制御するコントローラ装置とを含む。
【００３３】
好ましくは、前記システムは、制御装置、例えばコンピュータ１２上で実行されるソフトウェアにより制御される。ソフトウェア実施例において、前記システムは、好ましくは、以下のように動作する。
【００３４】
ユーザは、３つの選択肢、すなわち、
−シーン：この選択肢は、ユーザにシーン制御パネルを送信する。
−オプション：この選択肢は、前記ユーザにオプションメニューを送信する。ここで、前記ユーザは、いくつの部屋を前記システムに接続すべきかを選択することができる。
−終了：前記システムを終了する。
を持つメニューを提供される。
【００３５】
前記ソフトウェア実施例のシーン制御スクリーンにおいて、前記ユーザは、
−前記シーンを開始及び停止する。前記シーンは、前記システムの日付及び時間によってレンダリングを開始する。前記日付及び時間は、一日の間に動的なシーンを変化させ続ける。
−前記患者の願望によって前記シーンの光強度を制限する。
−スタッフに対する適切な作業環境に対して提供する作業領域照明の光強度を制限する。
−前記患者の願望によって追加のフィーチャをオン又はオフにする。追加のオプションは、動く雲、飛んでいる鳥又は植物等のシルエットのような自然要素を含む。
を選択することができる。
【００３６】
図２は、ＬＥＤ光バー３０の一実施例を概略的に示す。ＬＥＤ光バー３０は、複数の光源、ここでは複数のＬＥＤ光生成素子を各々持つ２８のＬＥＤランプを有する。光バー３０は、一列に配置された複数の光源を有する。ここで、前記光バーは、２行又は列のＬＥＤランプを有する。前記２８のＬＥＤランプは、ＬＥＤ光バー３０により発せられる光を適応させる可能性を提供する。前記ＬＥＤランプは、色及び／又は強度のような光パラメータを変化させるために制御されることができる。更に、いずれのＬＥＤランプを所定の強度及び色で照明するかを制御して、所定の光シナリオが、例えば日の出、真昼若しくは日没又はこれらの間の時間がシミュレートされることができるように前記ＬＥＤランプを個別に適応させることが可能でありうる。ＬＥＤ光源以外の光源が、本発明の範囲から逸脱することなしに想定されることができる。
【００３７】
図３は、各々４４で示される７つのＬＥＤ光バーを持つ１つの壁４２を持つ部屋４０を概略的に示す。前記７つのＬＥＤ光バーは、前記部屋の１つ又は複数の窓を通って輝く太陽のシミュレーションを可能にする。前記部屋は、実際には窓を持たないが、ＬＥＤ光バー４４が、窓を持つ部屋の状態をシミュレートする。他の実施例において、ＬＥＤ光バー４４の数は、部屋のサイズ及び／又は所望の最大強度のような因子に依存して、７とは異なることがありうる。
【００３８】
図４は、複数のＬＥＤ光源を有する２つの正方形ＬＥＤマトリクスの形の２つのＬＥＤパネル５２及び５４を持つ部屋５０を概略的に示す。上記の実施例のように、前記ＬＥＤ光源の強度、色及び方向は、時間経過のシミュレーションを提供するように制御されることができる。
【００３９】
図３及び４に示された実施例において、及びここに示される残りの実施例に対して、前記システムは、少なくとも２つの空間的に離れた光源を有する。前記空間的に離れた光源は、太陽の動き、及びこれにより室内の光条件の変化の増強されたシミュレーションを提供する。
【００４０】
図３及び４に示された実施例において、前記部屋は、２つの向かい合った壁を有し、各壁は、前記空間的に離れた光源の１つを有する。前記光源、例えばＬＥＤバー及び／又はＬＥＤマトリクスの配置は、より長い期間の動き、例えば日の出及び真昼の両方、又は日の出から日没までをシミュレートすることが可能であるので、前記シミュレーションの増強された効果を提供する。
【００４１】
一実施例において、前記光源又は複数の光源が、太陽により発せられたものとして地球上で観測されるものに似ているスペクトルの光を提供することは、有利である。前記光源から発せられる光が太陽から発せられた光に似ているほど、前記シミュレーションは現実的である。一実施例において、前記光源又は複数の光源により発せられた光のスペクトル分布は、前記シミュレーションの効果を増強するように制御及び適合されることができる。夜明けにおける光の色は、真昼の光の色とは異なる。
【００４２】
図５は、複数のＬＥＤ光源を各々有する正方形ＬＥＤマトリクスの形の６つのＬＥＤパネル６２、６４、６６、６８、７０及び７２を持つ部屋６０を概略的に示す。パネル６３及び６４は、壁に配置されている。パネル６６、６８、７０及び７２は、天井に配置されている。上記の実施例のように、前記ＬＥＤ光源の強度、色及び方向は、時間経過のシミュレーションを提供するように制御されることができる。前記光源の異なる空間的に離れた配置は、前記シミュレーションの増強された効果を提供する。
【００４３】
図６は、壁に配置された複数のＬＥＤ光源を各々有する矩形のＬＥＤバーの形の７つのＬＥＤパネルを持つ部屋８０を概略的に示す。更に、複数のＬＥＤ光源を各々有する９つの矩形のＬＥＤバーが、天井に配置されている。上記の実施例に用に、前記ＬＥＤ光源の強度、色及び方向は、時間経過のシミュレーションを提供するように制御されることができる。前記光源の異なる空間的に離れた配置は、前記シミュレーションの増強された効果を提供する。
【００４４】
図７は、複数のＬＥＤ光源を各々有する正方形ＬＥＤマトリクスの形の４つのＬＥＤパネル９２、９４、９６及び９８を持つ部屋９０を概略的に示す。パネル９２及び９４は、１つの壁に配置されている。パネル９６及び９８は、隣接した壁に配置されている。上記の実施例のように、前記ＬＥＤ光源の強度、色及び方向は、時間経過のシミュレーションを提供するように制御されることができる。前記光源の異なる空間的に離れた配置は、前記シミュレーションの増強された効果を提供する。
【００４５】
図８は、壁に配置された複数のＬＥＤ光源を各々有する矩形のＬＥＤバーの形の７つのＬＥＤパネルを持つ部屋１００を概略的に示す。更に、複数のＬＥＤ光源を各々有する９つの矩形のＬＥＤバーが、天井に配置されている。上記の実施例のように、前記ＬＥＤ光源の強度、色及び方向は、時間経過のシミュレーションを提供するように制御されることができる。前記光源の異なる空間的に離れた配置は、前記シミュレーションの増強された効果を提供する。
【００４６】
一実施例において、上記のシステムのいずれも、図１に示される画像表示装置及びビデオソースのような、静止画像及び／又はビデオを表示する画像表示装置と、画像及び／又はビデオを表示するために前記画像表示装置に接続される画像ソースとを更に有することができる。
【００４７】
本明細書に記載された画像表示装置のいずれも、ＬＣＤスクリーン、プラズマスクリーン又はＯＬＥＤスクリーンであることができ、又は複数の画像表示装置が、設けられることができる。前記複数の画像表示装置は、同じタイプであるか、又は異なるタイプの画像表示装置の混合であることができる。
【００４８】
図９は、前記光源又は複数の光源により発せられた光を拡散する拡散器１１２を更に有するＬＥＤバー１１０の実施例を概略的に示す。拡散器１１２は、半透明である又は半透明部分を有することができる。拡散器１１２は、反射部分及び半透明部分を組み合わせで有してもよい。拡散器１１２は、半透明部分及び透明部分を有してもよい。拡散器１１２は、素子１１４によりＬＥＤバー１１０の表面から離れて取り付けられる板として示されている。
【００４９】
図１０は、壁を有する部屋に光を供給する方法１２０のステップを概略的に示す。前記方法は、前記部屋内に、光強度制御装置を持つ光源を配置するステップ１２２を有する。前記方法は、一日の第１の期間において光条件をシミュレートする光強度モデルを提供するステップ１２４を更に有する。前記方法は、光が前記部屋に供給されるように前記モデルによって前記光強度制御装置を動作するステップ１２６を更に有する。
【００５０】
前記光は、前記第１の時間期間の間、自然光として知覚され、前記光強度の変化は、前記部屋内の人により時間が経過することが知覚されるように実行される。これは、人、例えば一日中ベッドに横たわっているＩＣＵ患者が、意識的に又は無意識に、時間が経過する印象を受けるのを助ける。前記第１の時間期間は、１時間であることができる。前記期間は、２４時間より短い期間が前記シミュレーションに対して規定及び使用されることができるようにループされることができる。前記シミュレーションは、太陽の位置又は少なくとも傾きを示す数式に基づくことができる。前記光に対するパラメータを決定する１つの方法は、実際の時間に基づいて前記計算を行うことができる。前記計算がその都度実行される必要がないように全ての関連するパラメータを時間の関数として規定する表が、提供されることができる。前記シミュレーションは、１年の所定の時間、例えば、夏、春、秋又は冬に関する典型的な値に基づくことができる。更に、前記システムは、人、例えば看護師又は他のスタッフが、特定の患者の要望及び／又は前記部屋内の患者に注意するスタッフに対する要望に応えるために、光強度のようなパラメータを手動で制御することを可能にする可能性を提供する。
【００５１】
上記の方法のステップを実行する前に、以下のステップ、すなわち、前記部屋内の一点が２以上の角度から照射されるように前記部屋に複数の光源を配置するステップが、実行されることができる。これは、複数の角度からの照射を可能にし、時間期間の間の光の変化の増強されたシミュレーションを提供する。例えば、１つの光源は、朝の光をシミュレートすることができ、１つの光源は、午後の光をシミュレートすることができる。前記部屋に配置された複数の光源を設けることにより、より多くの照明条件が、シミュレートされることができ、時間期間の感覚を与える光条件の変化が、与えられる。
【００５２】
前記方法は、ビデオスクリーン及びビデオソースを提供するステップと、前記ビデオソースからの画像を前記ビデオスクリーンに表示するステップとを更に有することができる。前記画像は、雲、動物、色、動いている動物及び／又は人間及び／又は雲及び／又は植物及び／又は木のシルエットを含むことができる。動く画像が、時間の知覚、したがって前記シミュレーションの効果を増大させることが考えられる。
【００５３】
他の場所に記載されるように、前記光源又は複数の光源は、発せられる光の色を制御する色変調装置を含むことができ、色変調は、複数の異なる光条件のシミュレーションを可能にする。色及び強度を組み合わせることは、より現実的な光体験を可能にする。
【００５４】
前記光源又は複数の光源は、前記発せられる光の向きを変更する配向装置を含むことができる。前記変更は、動的であることができ、すなわち、方向は、前記シミュレーション中に変更されることができる。前記配向装置は、代替的には、前記発せられる光の方向を恒久的に変更する装置、すなわち、前記光源からの光を方向転換するライトガイドであってもよい。これは、前記光源が製造要件により特定の向きに配置され、この方向が、前記シミュレーションに関して効率が低い場合に有利であることができ、したがって、前記配向装置は、前記光源を効率的に取り付ける可能性を提供し、それでも最適なシミュレーション結果を達成する。コントローラが前記発せられる光の向きを適合することができる光源を持つことは、空における太陽の変化する位置をシミュレートすることを可能にする。位置シミュレーション及び色シミュレーション及び強度を組み合わせることは、例えば夜明けから夕暮れまで及ぶ丸一日のシミュレーションを可能にする。更に、太陽が青い空から輝いていない日のシミュレーションも、シミュレートされることができ、雲及び／又は鳥及び／又は木の存在は、前記シミュレーションを更に増強する。
【００５５】
本発明は、図面及び先行する記載において詳細に図示及び記載されているが、このような図示及び記載は、説明的又は典型的であり、限定的ではないとみなされるべきであり、本発明は開示された実施例に限定されない。開示された実施例に対する他の変形例は、図面、開示及び添付の請求項の検討により、請求された発明を実施する際に当業者により理解及び達成されることができる。請求項において、単語"有する"は、他の要素又はステップを除外せず、不定冠詞"ある"は、複数を除外しない。単一のプロセッサ又は他のユニットは、請求項に記載された複数のアイテムの機能を満たしてもよい。特定の方策が相互に異なる従属請求項に記載されるという単なる事実は、これらの方策の組み合わせが有利に使用されることができないことを示さない。コンピュータプログラムは、他のハードウェアと一緒に又は一部として供給される光記憶媒体又は半導体媒体のような適切な媒体に記憶／分配されることができるが、インターネット又は他の有線若しくは無線電気通信システムを介するような他の形で分配されることもできる。請求項内の参照符号は、範囲を限定すると解釈されるべきではない。
【図１】
2014505979.tif 000003
【図２】
2014505979.tif 000004
【図３】
2014505979.tif 000005
【図４】
2014505979.tif 000006
【図５】
2014505979.tif 000007
【図６】
2014505979.tif 000008
【図７】
2014505979.tif 000009
【図８】
2014505979.tif 000010
【図９】
2014505979.tif 000011
【図１０】
2014505979.tif 000012
【国際調査報告】
2014505979.tif 000013
2014505979.tif 000014